【手続補正書】
【提出日】令和1年11月14日(2019.11.14)
【手続補正１】
【補正対象書類名】特許請求の範囲
【補正対象項目名】全文
【補正方法】変更
【補正の内容】
【特許請求の範囲】
【請求項１】
再利用可能な燃料を処理するための装置であって、
連続材料供給アセンブリと、
供給材料を連続的に受けて内部に受けられた供給材料を処理するように構成される加熱エアロックフィーダと、
前記加熱エアロックフィーダから処理済みの材料を受けるように構成される反応器と、
前記反応器により供給される蒸気を処理するように構成される蒸気精製システムと、
を備える装置。
【請求項２】
前記反応器から炭化物を排除するように構成される炭化物処分システムを備える、請求項１に記載の装置。
【請求項３】
前記反応器の熱膨張を可能にするように構成される熱膨張システムを備える、請求項１に記載の装置。
【請求項４】
前記反応器から処理済みの燃料を受けるように構成される冷却システムを備える、請求項１に記載の装置。
【請求項５】
前記材料供給アセンブリは、
入口と出口とを有する材料プレス本体と、
前記材料プレス本体の入口への空気流及び前記材料プレス本体の出口を通過する空気流を生み出すための動力源であって、前記空気流が供給材料を捕捉して前記材料プレス本体内へ供給する動力源と、
供給材料を捕捉して材料処理装置内へと操作するための複数のプレスオーガーと、
前記複数のオーガーを駆動して制御するように接続される駆動システムと、
を備える、請求項１に記載の装置。
【請求項６】
前記材料プレス本体は、出口テーパ本体構造体に配置される圧縮領域を含む、請求項５に記載の装置。
【請求項７】
加圧シールが前記圧縮領域に形成される、請求項６に記載の装置。
【請求項８】
前記材料プレス本体の出口に配置されるスクリーンを備える、請求項５に記載の装置。
【請求項９】
前記複数のプレスオーガーは、それらが回転するにつれて前記スクリーンを擦って拭き取り、それにより、前記材料プレス本体を通じた空気流を可能にする、請求項８に記載の装置。
【請求項１０】
前記スクリーンは、前記供給材料が前記出口から抜け出るのを防止するように構成されるが、前記空気流が前記出口を通過することを可能にする、請求項８に記載の装置。
【請求項１１】
前記複数のプレスオーガーが互いに反対方向に回転する、請求項５に記載の装置。
【請求項１２】
前記複数のプレスオーガーが重なり合う、請求項５に記載の装置。
【請求項１３】
前記複数のプレスオーガーが２つのプレスオーガーを含み、各オーガーが金属フライトを有し、その一方が右側フライトであり、他方が左側フライトである、請求項５に記載の装置。
【請求項１４】
前記複数のプレスオーガーのそれぞれの基部が１８０度離れて終わる２つのフライトを有する、請求項５に記載の装置。
【請求項１５】
前記駆動システムがギアボックスを備える、請求項５に記載の装置。
【請求項１６】
前記ギアボックスがはすば歯車を備える、請求項１５に記載の装置。
【請求項１７】
前記ギアボックスが平歯車を備える、請求項１５に記載の装置。
【請求項１８】
前記動力源がブロワである、請求項５に記載の装置。
【請求項１９】
前記材料プレス本体が満杯であって正しい圧力にあるときに信号を送るアンプモニタを備える、請求項５に記載の装置。
【請求項２０】
前記入口に材料を供給するためのフィードを備える、請求項５に記載の装置。
【請求項２１】
前記フィードが空気圧式である、請求項２０に記載の装置。
【請求項２２】
前記供給材料がプラスチックである、請求項５に記載の装置。
【請求項２３】
前記供給材料がビニール袋である、請求項２２に記載の装置。
【請求項２４】
デストナーフードへ供給するための供給材料を収集するコンベアシステムを備える、請求項５に記載の装置。
【請求項２５】
前記蒸気精製システムは、
支持体と、
前記支持本体内に配置される複数のオーガーと、
前記複数のオーガーを駆動して制御するように接続される駆動システムと、
前記支持体に接続される排気システムと、
前記排気システムに接続されるギアボックスハウジングであって、前記駆動システムが前記ギアボックスハウジング内に収容される、ギアボックスハウジングと、
前記ギアボックスハウジング内に配置される換気システムと、
を備える、請求項１に記載の装置。
【請求項２６】
前記複数のオーガーがスクリュー型コンベアオーガーを備える、請求項２５に記載の装置。
【請求項２７】
前記複数のオーガーは、それらのそれぞれのフライトが互いに交差するように前記支持体内に配置される、請求項２６に記載の装置。
【請求項２８】
前記駆動システムは、前記複数のオーガーの回転及びタイミングを制御する、請求項２５に記載の装置。
【請求項２９】
前記駆動システムがオーガーギアドライブを備える、請求項２８に記載の装置。
【請求項３０】
前記オーガーギアドライブは、複数のオーガーの回転及びタイミングを制御するために平歯車を利用する、請求項２９に記載の装置。
【請求項３１】
前記複数のオーガーは、蒸気流に抗して回転して凝縮性及び非凝縮性の炭化水素を含む蒸気から炭素炭化物を除去するように構成される、請求項２５に記載の装置。
【請求項３２】
前記反応器の全長にわたって分散される個々の加熱ゾーンを備える、請求項１に記載の装置。
【請求項３３】
前記加熱ゾーンが別々に調整される、請求項３２に記載の装置。
【請求項３４】
前記加熱ゾーンが別々に給電される、請求項３２に記載の装置。
【請求項３５】
前記冷却システムは、
第１の形態を有する第１のタイプのサイクロン冷却器と、
１つ以上の第２のタイプのサイクロン冷却器であって、前記１つ以上の第２のタイプのサイクロン冷却器のそれぞれが対応する他の１つ以上の第２のタイプのサイクロン冷却器と実質的に同一の第２の形態を有し、前記第２の形態が前記第１の形態とは異なる、１つ以上の第２のタイプのサイクロン冷却器と、
空冷式熱交換器と、
コイル凝縮器と、
１つ以上のバブラーと、
を備え、
前記第１のタイプのサイクロン冷却器と前記１つ以上の第２のタイプのサイクロン冷却器とが接続され、
前記１つ以上の第２のタイプのサイクロン冷却器のうちの１つが前記空冷式熱交換器に接続され、
前記空冷式熱交換器が前記コイル凝縮器に接続され、
前記コイル凝縮器が前記１つ以上のバブラーに接続される、
請求項４に記載の装置。
【請求項３６】
前記第１のタイプのサイクロン冷却器は、前記１つ以上の第２のタイプのサイクロン冷却器とデイジーチェーン形態で接続される、請求項３５に記載の装置。
【請求項３７】
前記１つ以上の第２のタイプのサイクロン冷却器が回転フィンの第１の組を備える、請求項３５に記載の装置。
【請求項３８】
前記１つ以上の第２のタイプのサイクロン冷却器が回転フィンの第２の組を備える、請求項３７に記載の装置。
【請求項３９】
前記回転フィンの第１の組が第１の方向に配置され、前記回転フィンの第２の組が前記第１の方向から第２の方向に配置される、請求項３８に記載の装置。
【請求項４０】
前記第２の方向が前記第１の方向の逆方向である、請求項３９に記載の装置。
【請求項４１】
前記第１のタイプのサイクロン冷却器及び前記１つ以上の第２のタイプのサイクロン冷却器がカスケードサイクロンとして配置される、請求項３５に記載の装置。
【請求項４２】
前記１つ以上の第２のタイプのサイクロン冷却器が３つの第２のタイプのサイクロン冷却器を備える、請求項４１に記載の装置。
【請求項４３】
前記１つ以上の第２のタイプのサイクロン冷却器が３つの第２のタイプのサイクロン冷却器を備える、請求項３５に記載の装置。
【請求項４４】
前記第１のタイプのサイクロン冷却器及び前記３つの第２のタイプのサイクロン冷却器が前記第１のタイプのサイクロン冷却器から始まって直列に配置される、請求項４３に記載の装置。
【請求項４５】
前記最後の第２のタイプのサイクロン冷却器が前記空冷式熱交換器に接続される、請求項４４に記載の装置。
【請求項４６】
前記第１のタイプのサイクロン冷却器及び２つの前記第２のタイプのサイクロン冷却器が第１の保持タンクに接続される、請求項４５に記載の装置。
【請求項４７】
前記空冷式熱交換器が前記コイル凝縮器に接続される、請求項４４に記載の装置。
【請求項４８】
前記コイル凝縮器が第２の保持タンクに接続される、請求項４７に記載の装置。
【請求項４９】
前記１つ以上のバブラーが順に接続される複数のバブラーを備える、請求項３５に記載の装置。
【請求項５０】
前記複数のバブラーが互いに接続される、請求項４９に記載の装置。
【請求項５１】
膨張タンクを更に備え、該膨張タンクが前記バブラーのうちの１つに接続される、請求項５０に記載の装置。
【請求項５２】
前記第２の方向が前記第１の方向とは反対の方向である、請求項４０に記載の装置。
【請求項５３】
前記第１の方向がサイクロン回転方向であり、前記第２の方向がサイクロン回転方向である、請求項４０に記載の装置。